(57)【要約】【課題】  ダンボール箱などに利用される積層板であって、方向性のない面剛性を保有して何れの方向からの曲げ力、押圧力、引張力などの外力が作用する場合にも変わらぬ強度を保有する。【解決手段】  平らな平板１Ａ，２Ａの一面に、波状に折り曲げ加工した波板１Ｂ，２Ｂの一面を貼り合わせて作られる２枚のハニカム半体１，２を、相対面する波板１Ｂ，２Ｂ間に貼合紙３を挟んで重ね合わせ、ハニカム半体１，２の波板１Ｂ，２ＢのストライプＳ，Ｓ′を交叉させて、それらのハニカム半体１，２を貼り合わせる。【選択図】図２
0003138123.tif 000002
【実用新案登録請求の範囲】
【請求項１】
平らな平板（１Ａ，２Ａ；１１Ａ，１２Ａ，１３Ａ）の一面に、波状に折り曲げ加工した波板（１Ｂ，２Ｂ；１１Ｂ，１２Ｂ，１３Ｂ）の一面を貼り合わせてハニカム半体（１，２；１１，１２，１３）を構成し、そのハニカム半体（１，２；１１，１２，１３）の少なくとも２枚を、相対面する波板（１Ｂ，２Ｂ；１１Ｂ，１２Ｂ，１３Ｂ）間には貼合紙（３；１４）を挟んで重ね合わせ、ハニカム半体（１，２；１１，１２，１３）の波板（１Ｂ，２Ｂ；１１Ｂ，１２Ｂ，１３Ｂ）のストライプ（Ｓ，Ｓ′；Ｓ，Ｓ′，Ｓ″）を交叉させて、それらのハニカム半体（１，２；１１，１２，１３）を貼り合わせてなる、積層板。
【請求項２】
平らな２枚の平板（２１Ａ；２２Ａ；２３Ａ）と、波状に折り曲げ加工した波板（２１Ｂ；２２Ｂ；２３Ｂ）とを備え、２枚の平板（２１Ａ；２２Ａ；２３Ａ）間に波板（２１Ｂ；２２Ｂ；２３Ｂ）を挟んでそれらを貼り合わせて複数枚の段ボール板（２１，２２，２３）を構成し、少なくとも２枚の段ボール板（２１，２２，２３）を、それらの段ボール板（２１，２２，２３）の波板（２１Ｂ，２２Ｂ，２３Ｂ）のストライプ（Ｓ，Ｓ′，Ｓ″）を交叉させて重ね合わせ、それらの重ね合わせ面を貼り合わせてなる積層板。
【請求項３】
前記積層板には、防燃剤（４）を含浸させてなることを特徴とする、前記請求項１または２記載の積層板。
【請求項４】
前記積層板の表面には、防燃剤（４）が塗布されることを特徴とする、前記請求項１または２記載の積層板。
【考案の詳細な説明】
【技術分野】
【０００１】
本考案は、梱包箱などに使用される積層板に関する。
【背景技術】
【０００２】
従来、段ボール箱などの梱包箱に使用される段ボール板として、断面ハニカム構造のものが知られている（後記特許文献１、２参照）。
【特許文献１】特開２００４−５０６４０号公報
【特許文献２】特開平６−１３７７号公報
【考案の開示】
【考案が解決しようとする課題】
【０００３】
ところで、このような従来のハニカム構造のダンボール板は、軽くて強度が高く、衝撃吸収性に優れているという利点を有しているものの、ハニカム構造の波形のストライプが一方向に並んで延びているので、そのストライプと交叉する方向の強度は高いもののストライプと並列する方向の強度が弱くなり、すなわちダンボール板はその全面にわたり均等な強度が得られないという問題がある。
【０００４】
本考案はかかる実情に鑑みてなされたもので、全面にわたり均等な高い強度を持つ積層板を提供することを目的とする。
【課題を解決するための手段】
【０００５】
前記目的を達成するために、請求項１記載の考案は、平らな平板の一面に、波状に折り曲げ加工した波板の一面を貼り合わせてハニカム半体を構成し、そのハニカム半体の少なくとも２枚を、相対面する波板間には貼合紙を挟んで重ね合わせ、ハニカム半体の波板のストライプを交叉させて、それらのハニカム半体を貼り合わせてなることを特徴としている。
【０００６】
また、前記目的を達成するために、請求項２記載の考案は、平らな２枚の平板と、波状に折り曲げ加工した波板とを備え、２枚の平板間に波板を挟んでそれらを貼り合わせて複数枚の段ボール板を構成し、少なくとも２枚の段ボール板を、それらの段ボール板の波板のストライプを交叉させて重ね合わせ、それらの重ね合わせ面を貼り合わせてなることを特徴としている。
【０００７】
さらに、前記目的を達成するために、請求項３記載の考案は、前記請求項１または２記載のものにおいて、前記積層板には、防燃剤を含浸させてなることを特徴としている。
【０００８】
さらにまた、前記目的達成のため、請求項４記載の考案は、前記請求項１または２記載のものにおいて、前記積層板の表面には、防燃剤が塗布されることを特徴としている。
【考案の効果】
【０００９】
請求項各項記載の考案によれば、何れの方向からの曲げ力、押圧力、引張力などの外力が作用する場合にも変わらぬ強度をもつ高強度の積層板が得られる。
【００１０】
また、請求項３，４記載の考案によれば、燃えにくい積層板が得られる。
【考案を実施するための最良の形態】
【００１１】
本考案の実施の形態を、添付図面に例示した本考案の実施例に基づいて以下に具体的に説明する。
【００１２】
まず、図１〜３を参照して本考案の第１実施例について説明する。
【００１３】
図１は、積層板の一部破断斜視図、図２は、図１の２−２線に沿う断面図、図３は、積層板の分解斜視図である。
【００１４】
この第１実施例にかかる積層板Ｐ１は、２枚、すなわち第１、第２のハニカム半体１，２を、貼合紙３を挟んで一体に一体に貼り合わせて作られる。
【００１５】
第１のハニカム半体１は、平らな平板１Ａの一面に、波状に折り曲げて作られる波板１Ｂの一面を重ね合わせてそれらを糊などの接着剤で貼り合わせて作られ、この第１のハニカム半体１は、波板１Ｂの複数のストライプＳが一方向（図３、上下方向）に並んでいる。
【００１６】
一方、第２のハニカム半体２は、第１のハニカム半体１と同じく平らな平板２Ａの一面に、波状に折り曲げて作られる波板２Ｂの一面を重ね合わせてそれらを糊などの接着剤で貼り合わせて作られ、この第２のハニカム半体２は、波板１Ｂの複数のストライプＳ′の方向が、前記第１のハニカム半体１のストライプＳに対して斜め方向、すなわち交叉する方向に並んでいる。
【００１７】
図３に示すように、第１、第２のハニカム半体１，２は、それらの波板１Ｂ，２Ｂの他面同士を対面させ、それらの間に貼合紙３を挟んで糊などの接着剤で一体に貼り合わせて、図１，２に示すように積層板Ｐ１が得られる。しかして、この積層板Ｐ１は、第１のハニカム半体１の波板１ＢのストライプＳの方向に対して第２のハニカム半体２の波板２ＢのストライプＳ′の方向が斜め方向であり、それらのストライプＳ，Ｓ′の方向が相互に交叉しているので、この積層板Ｐ１は、その全面において曲げ力、押圧力、引張力などの外力に対して変わらぬ強度が確保される。
【００１８】
この積層板Ｐ１には、防燃剤４を含浸させるか、あるいは図１に示すように、その表面に防燃剤４を塗布することにより、燃えにくくすることができる。
【００１９】
なお、前記第１実施例では、第１、第２のハニカム半体１，２の波板１Ｂ，２ＢのストライプＳ，Ｓ′は相互に斜めに交叉、すなわち、それらのストライプＳ，Ｓ′の交叉角は９０°よりも小さくされているが、それらのストライプＳ，Ｓ′を略直角に交叉させ、それらのストライプＳ，Ｓ′の交叉角を約９０°としてもよい。
【００２０】
図４，５には、前記第１実施例にかかる積層板Ｐ１を「ふすま」の上張りに使用した使用例が示される。
【００２１】
図４は、本発明積層板を使用した「ふすま」の一部破断斜視図、図５は、図４の５−５線に沿う拡大断面図である。
、「ふすま」の外枠となるかまち６には、これを補強する力骨７が設けられ、この力骨７の表面および裏面には、上張りとして本発明にかかる積層板Ｐ１，Ｐ１がそれぞれ張られる。この「ふすま」の上張りは、その全面にわたり高い強度を確保することができる。
【００２２】
つぎに、本考案の第２実施例について説明する。
【００２３】
図６，７は本考案の第２実施例を示すものであり、図６は、積層板の断面図、図７は、積層板の分解斜視図であり、図中、第１実施例と同じものには同じ符号が付される。
【００２４】
この第２実施例の積層体Ｐ２は、３枚、すなわち第１、第２および第３のハニカム半体１１，１２，１３を重ね合わせ、それらを貼り合わせてなるものであり、第１のハニカム半体１１は平板１１Ａの一面に波板１１Ｂを貼り合わせて構成され、波板１１ＢのストライプＳは１方向（図７、上下方向）に並んでいる。第２のハニカム半体１２は平板１２Ａの一面に波板１２Ｂを貼り合わせて構成され、波板１２ＢのストライプＳ′は、前記第１のハニカム半体１１のストライプＳに対して斜めに交叉されている。第１のハニカム半体１１の波板１１Ｂと第２ハニカム半体１２の波板１２Ｂ同士は貼合紙１４を挟んで相互に貼り合わされる。さらに、第３のハニカム半体１３は、平板１３Ａの一面に波板１３Ｂを貼り合わせて構成され、波板３ＢのストライプＳ″の方向は、前記第２ハニカム半体１２の波板１２Ｂの傾斜方向と逆方向に傾斜されている。そして、第１のハニカム半体１２の平板１１上に第３のハニカム半体１３の波板１３Ｂが直接貼り合わされる。以上により、第１、第２および第３のハニカム半体１１、１２および１３は層状に貼り合わされ、第１のハニカム半体１のストライプＳに対して第２、第３のハニカム半体２、３のストライプＳ′、Ｓ″は、逆向きに斜めに傾斜される。したがって、積層体Ｐ２はその全面にわたり曲げ力、引張力、押圧力などの外力に対して同じ強度を確保し得る。
【００２５】
特に、この第２実施例のものは、３層のハニカム半体よりなるので、前記第１実施例のものよりも一層強度が大きい。
【００２６】
この第２実施例の積層板も、防燃剤４を含浸させるか、あるいは図１に示すように、その表面に防燃剤もしくは防炎剤４を塗布することにより、燃えにくくすることができる。      
【００２７】
つぎに、本考案の第３実施例について説明する。
【００２８】
図８，９は本考案の第３実施例を示すものであり、図８は、積層板の断面図、図９は、積層板の分解斜視図であり、図中、前記第１、２実施例と同じものには同じ符号が付される。
【００２９】
この第３実施例は、市販のダンボール板を利用して本考案にかかる積層板Ｐ３を構成するものであって、この第３実施例では、第１、第２および第３の、３枚のダンボール板２１，２２，２３を重ねて貼り合わせて作られる。第１のダンボール板２１は、２枚の平らな平板２１Ａの間に、波形に折り曲げ形成した波板２１Ｂを挟んで重ね合わせ、それらを一体に貼り合わせて構成され、その波板２１のストライプＳは一方向（図９、上下方向）に並列される。また、第２のダンボール板２２は、２枚の平らな平板２２Ａ，２２Ａの間に、波形に折り曲げ形成した波板２２Ｂを挟んで重ね合わせ、それらを一体に貼り合わせて構成され、波板２２のストライプＳ′は、前記第１のダンボール板２１の平板２１Ａの下面に張り合わされる。さらに、第３のダンボール板２３は、２枚の平らな平板２３Ａ，２３Ａの間に、波形に折り曲げ形成した波板２３Ｂを挟んで重ね合わせ、それらを一体に貼り合わせて構成され、波板２３ＢのストライプＳ″は、第２のダンボール板２２の波板２２Ｂの傾斜方向と逆向きに斜めに傾斜されている。第１のダンボール板２１と第２のダンボール板２２の互いに対面する平板２１Ａ，２２Ａ同士および第１のダンボール板２１と第３のダンボール板２３の互いに対面する平板２１Ａ，２３Ａ同士は糊などの接着剤をもって貼り合わせる。
【００３０】
以上により、第１、第２および第３の３枚のダンボール板２１，２２，２３により積層板Ｐ３が構成され、この積層板Ｐ３の３枚の波板２１Ｂ，２２Ｂ，２３Ｂ１のストライプＳ，Ｓ′，Ｓ″は交叉されるので、この積層板Ｐ３は、その全面にわたり方向性のない面剛性が得られ、曲げ力、押圧力、引張力などの外力に対して全面にわたって均等な強度が得られる。
【００３１】
この第３実施例の積層板も、防燃剤を含浸させるか、あるいはその表面に防燃剤を塗布することにより、燃えにくくすることができる。
【００３２】
なお、この第３実施例では、第１のダンボール板２１の波板２１ＢのストライプＳに対して第２および第３のダンボール板２２，２３の波板２２Ｂ，２３ＢのストライプＳ′，Ｓ″を斜めに交叉させているが、ストライプＳとＳ′，Ｓ″を略直角に交叉させるようにしてもよい。
【００３３】
しかして、本発明の第１、第２および第３実施例にかかる前記積層板Ｐ１、Ｐ２およびＰ３は，梱包箱、保管箱、建具、衝立、間仕切りなどに使用できる外、天井、壁、などの建材にも使用することができる。
【００３４】
以上、本考案の実施例について説明したが、本考案はその実施例に限定されることなく、本考案の範囲内で種々の実施例が可能である。
【００３５】
たとえば、前記実施例では、本考案積層板を、２枚あるいは３枚のハニカム半体の貼り合わせにより、また３枚のダンボール板の貼り合わせにより構成した場合を説明したが、４枚以上のハニカム半体の貼り合わせにより、また、２枚あるいは４枚以上のダンボール板の貼り合わせにより構成してもよい。
【図面の簡単な説明】
【００３６】
【図１】積層板の一部破断斜視図（第１実施例）
【図２】図１の２−２線に沿う断面図（第１実施例）
【図３】積層板の分解斜視図（第１実施例）
【図４】積層板を使用した「ふすま」の一部破断斜視図（第１実施例）
【図５】図４の５−５線に沿う拡大断面図（第１実施例）
【図６】積層板の断面図（第２実施例）
【図７】積層板の分解斜視図（第２実施例）
【図８】積層板の断面図（第３実施例）
【図９】積層板の分解斜視図（第３実施例）
【符号の説明】
【００３７】
１，２；１１，１２，１３・・・・・・・・ハニカム半体
１Ａ，２Ａ；１１Ａ，１２Ａ，１３Ａ・・・平板
１Ｂ，２Ｂ；１１Ｂ，１２Ｂ，１３Ｂ・・・波板
３，１４・・・・・・・・・・・・・・・・貼合紙
４・・・・・・・・・・・・・・・・・・・防燃剤
２１，２２，２３・・・・・・・・・・・・段ボール板
２１Ａ；２２Ａ；２３Ａ・・・・・・・・・平板
２１Ｂ；２２Ｂ；２３Ｂ・・・・・・・・・波板
Ｓ，Ｓ′，Ｓ″・・・・・・・・・・・・・ストライプ
【図１】
0003138123.tif 000003
【図２】
0003138123.tif 000004
【図３】
0003138123.tif 000005
【図４】
0003138123.tif 000006
【図５】
0003138123.tif 000007
【図６】
0003138123.tif 000008
【図７】
0003138123.tif 000009
【図８】
0003138123.tif 000010
【図９】
0003138123.tif 000011